(57)【要約】      （修正有）【課題】地中の水分が踏み込み穴に浸入することがなく、納骨室を衛生的な状態に保つことができるお墓を提供する。【解決手段】骨壺６が安置される納骨室５の内部に地面ＪＭを掘り下げて形成された踏み込み穴１１内に、外面に防水膜１３が施された穴保護体１２が設置される。防水膜は、穴保護体の外面に設けられたＦＲＰから成る第１層、第１層の外面に積層されたガラスクロスから成る第２層、第２層の外面に積層されたＦＲＰから成る第３層を有する。【選択図】図１
0003233503.tif 000002
【実用新案登録請求の範囲】
【請求項１】
骨壺が安置される納骨室の内部に地面を掘り下げて形成された踏み込み穴と、
上方に開口した箱形状を有して前記踏み込み穴内に設置された穴保護体と、
を備え、
前記穴保護体の外面に防水膜が施されている、お墓。
【請求項２】
前記防水膜は、前記穴保護体の外面に設けられたＦＲＰから成る第１層、前記第１層に積層されたガラスクロスから成る第２層、前記第２層に積層されたＦＲＰから成る第３層を有する、請求項１に記載のお墓。
【請求項３】
前記第２層を構成するガラスクロスは、前記第１層のＦＲＰが半乾きの状態で前記第１層に貼り付けられたものである、請求項２に記載のお墓。
【考案の詳細な説明】
【技術分野】
【０００１】
本考案は、骨壺が安置される納骨室を備えたお墓に関する。
【背景技術】
【０００２】
従来、お墓として、骨壺が安置される納骨室を有する墓本体と、墓本体の上に立設された墓石を備えた形態のものが一般的に知られている。このような形態のお墓の納骨室は天井が低く、参拝者が納骨室の掃除等をする場合には、墓本体の前面に設けられた扉を開けたうえで、腰を屈めた極めて低い姿勢で納骨室内に入っていくことになる。このとき参拝者は不安定な姿勢になるうえ作業がしにくいことから、納骨室の手前側（扉側）の地面を掘り下げて踏み込み穴を形成し、参拝者がその踏み込み穴に足を入れることによって納骨室内で楽な姿勢をとることができるようにしたお墓が考案されている（下記の特許文献参照）。このようなお墓では、踏み込み穴内には、その内面を保護するため、複数の板状部材が組み合わされて箱状に構成された穴保護体が設置される。
【先行技術文献】
【特許文献】
【０００３】
【特許文献１】実用新案登録第３１６７９１９号公報
【考案の概要】
【考案が解決しようとする課題】
【０００４】
しかしながら、上記穴保護体は複数の板状部材が組み合された構成であるので、地中に発生した水分が板状部材の継ぎ目を通して踏み込み穴に浸入し、納骨室の全体が不衛生な状態になるおそれがあった。
【０００５】
そこで本考案は、地中の水分が踏み込み穴に浸入することがなく、納骨室を衛生的な状態に保つことができるお墓を提供することを目的とする。
【課題を解決するための手段】
【０００６】
本考案のお墓は、骨壺が安置される納骨室の内部に地面を掘り下げて形成された踏み込み穴と、上方に開口した箱形状を有して前記踏み込み穴内に設置された穴保護体と、を備え、前記穴保護体の外面に防水膜が施されている。
【考案の効果】
【０００７】
本考案では、踏み込み穴内に設置される穴保護体の外面に防水膜が施されているので、地中の水分が穴保護体を通じて（詳細には穴保護体を構成する板状部材の継ぎ目を通して）踏み込み穴内に浸入することがなく、納骨室を衛生的な状態に保つことができる。
【図面の簡単な説明】
【０００８】
【図１】本考案の一実施の形態におけるお墓の断面図
【図２】本考案の一実施の形態におけるお墓が備える穴保護体の斜視図
【図３】図１における領域ＡＲの拡大図
【考案を実施するための形態】
【０００９】
以下、図面を参照して本考案の実施の形態について説明する。図１は本考案の一実施の形態におけるお墓１を側方から見た断面図により示したものである。お墓１は地面ＪＭに埋設された基礎２の上に墓本体３を有し、墓本体３の上部には墓碑が刻まれた墓石４が立設されている。墓本体３には納骨室５が形成されており、納骨室５内には骨壺６を安置するための安置棚７が設けられている。墓本体３の前面は開口しており、墓本体３の前部には観音扉式の扉８が設けられている。
【００１０】
図１において、納骨室５内の扉８と安置棚７との間の領域には、地面ＪＭを掘り下げて形成された踏み込み穴１１が設けられている。踏み込み穴１１には、踏み込み穴１１の内面を保護する穴保護体１２が設置（嵌入）されている。穴保護体１２は、図２に示すように、複数の板状部材１２ｐが組み合わされて成り、上方に開口した箱形状を有している。板状部材１２ｐには、地中に湧きだした水によって穴保護体１２が踏み込み穴１１内で浮き上がってしまうことを防ぐため、比重量の大きい花崗岩等の石材が使用される。
【００１１】
穴保護体１２は、納骨室５内の掃除等をしようとする参拝者が姿勢を楽にした状態で納骨室５内に入ることができるようにする機能を有する。参拝者は、扉８を開け、穴保護体１２に足を入れた状態で納骨室５に入ることによって、腰を極度に屈めることなく納骨室５に入ることができ、楽な姿勢で作業を行うことができる。
【００１２】
図２および図３（図３は図１における領域ＡＲの拡大図）において、穴保護体１２の外面１２ａには防水膜１３が施されている。防水膜１３は、図３に示すように、穴保護体１２の外面１２ａに設けられた第１層Ｌ１、第１層Ｌ１に積層された第２層Ｌ２および第２層Ｌ２に積層された第３層Ｌ３を有している。第１層Ｌ１と第３層Ｌ３はＦＲＰ（Ｆｉｂｅｒ  Ｒｅｉｎｆｏｒｃｅｄ  Ｐｌａｓｔｉｃｓ）から成り、第２層Ｌ２はガラスクロスから成る。
【００１３】
第１層Ｌ１と第３層Ｌ３は、例えばペンキ状のＦＲＰ（繊維強化プラスチック。例えばＦＲＰマリン）と硬化剤（例えばＭＥＫ−Ｐ０）が所定の割合（８：２が好ましい）で混合された塗料が塗布されることによって形成される。第２層Ｌ２のガラスクロスは、第１層Ｌ１の形成中において、ＦＲＰが半乾きの状態のときに第１層Ｌ１に貼り付けられて積層される。すなわち、第２層Ｌ２を構成するガラスクロスは、第１層Ｌ１のＦＲＰが半乾きの状態で第１層Ｌ１に貼り付けられたものである。これによりガラスクロスを第１層Ｌ１に貼り付けるための接着剤が不要となる。なお、ガラスクロスは、防水膜１３の骨材として機能する。第３層Ｌ３は第２層Ｌ２のガラスクロスの表面にペンキ状のＦＲＰを重ね塗りすることによって形成されるが、重ね塗りをして３時間以上経過した後に、更に仕上げとしてＦＲＰを重ね塗りすることが好ましい。
【００１４】
ここで、防水膜１３を板状部材１２ｐの継ぎ目部だけに施すと、防水膜１３の外縁から水分が浸入してしまうおそれがある。しかも、防水膜１３が劣化するとその外縁部は板状部材１２ｐの継ぎ目に近づいてくるので、防水膜１３は、板状部材１２ｐの継ぎ目部だけではなく、穴保護体１２の外面１２ａの全体に施すことが好ましい。
【００１５】
本実施の形態におけるお墓１では、踏み込み穴１１内に設置される穴保護体１２の外面１２ａに防水膜１３が施されているので、地中の水分が穴保護体１２を構成する板状部材１２ｐの継ぎ目を通じて踏み込み穴１１内に浸入することがない。このため納骨室５を衛生的な状態に保つことができる。
【００１６】
これまで本考案の実施の形態について説明してきたが、本考案は上述したものに限定されず、種々の変形等が可能である。例えば、防水膜１３は穴保護体１２の外面１２ａだけでなく、図２に示す内面１２ｂと上端面１２ｃにも施すことができる。防水膜１３を穴保護体１２の外面１２ａだけでなく内面１２ｂおよび上端面１２ｃにも施すことで、踏み込み穴１１内への水の侵入をより一層効果的に防止することが可能である。また、防水膜１３は防水機能を有していればよく、必ずしも前述した構成（ＦＲＰから成る第１層Ｌ１、ガラスクロスから成る第２層Ｌ２およびＦＲＰから成る第３層Ｌ３を有する構成）を有していなくてもよい。
【符号の説明】
【００１７】
１  お墓
２  基礎
３  墓本体
４  墓石
５  納骨室
６  骨壺
７  安置棚
８  扉
１１  踏み込み穴
１２  穴保護体
１２ａ  外面
１２ｂ  内面
１２ｃ  上端面
１２ｐ  板状部材
１３  防水膜
Ｌ１  第１層
Ｌ２  第２層
Ｌ３  第３層
ＪＭ  地面
【図１】
0003233503.tif 000003
【図２】
0003233503.tif 000004
【図３】
0003233503.tif 000005